(57)【要約】【課題】流体力により回転する回転体の過回転を効果的に防止し、復旧作業も容易にする過回転防止装置を提供する。【解決手段】流体力によって回転する回転体の過回転を防止する回転体の過回転防止装置であって、回転体が回転した際に生じる遠心力によって移動可能な移動体と、移動体の移動変位に応じた反力を移動体に負荷する弾性体と、回転体の回転制動を行うブレーキ部と、ブレーキ部に対する通電状態によってブレーキ部の動作を定めるブレーキ部電源と、移動体が所定位置を超えて移動した過回転の際に、通電状態をブレーキ部が制動動作をする状態に切り替える通電切替部とを備える。【選択図】図２
2017210912.tif 000002
【特許請求の範囲】
【請求項１】
流体力によって回転する回転体の過回転を防止する回転体の過回転防止装置であって、
前記回転体が回転した際に生じる遠心力によって移動可能な移動体と、
前記移動体の移動変位に応じた反力を前記移動体に負荷する弾性体と、
前記回転体の回転制動を行うブレーキ部と、
前記ブレーキ部に対する通電状態によって前記ブレーキ部の動作を定めるブレーキ部電源と、
前記移動体が所定位置を超えて移動した過回転の際に、前記通電状態をブレーキ部が制動動作をする状態に切り替える通電切替部と、を備えることを特徴とする回転体の過回転防止装置。
【請求項２】
前記移動体が前記所定位置を超えて移動した際に、前記ブレーキ部が制動動作をする状態を維持する維持部を備えることを特徴とする請求項１記載の回転体の過回転防止装置。
【請求項３】
前記維持部が、前記所定位置を超えた前記移動体の位置を維持するものであることを特徴とする請求項２記載の回転体の過回転防止装置。
【請求項４】
前記維持部が、前記移動体が前記所定位置を超えた際に動作して前記回転体の移動を規制するラチェット機構であることを特徴とする請求項３記載の回転体の過回転防止装置。
【請求項５】
前記維持部が、前記ブレーキ部が制動動作をする状態に切り替えられた前記通電状態を維持するものであることを特徴とする請求項２または３に記載の回転体の過回転防止装置。
【請求項６】
前記維持部が、接点保持リレーであることを特徴とする請求項５記載の回転体の過回転防止装置。
【請求項７】
前記ブレーキ部が、接触摩擦力を利用したものであることを特徴とする請求項１〜６のいずれか１項に記載の回転体の過回転防止装置。
【請求項８】
前記回転体が、ピッチ調整が可能な揚力発生翼を有しており、前記ブレーキ部が前記揚力発生翼のピッチ角度を調整する制御を行うものであることを特徴とする請求項１〜７のいずれか１項に記載の回転体の過回転防止装置。
【請求項９】
前記揚力発生翼のピッチ角度が一定値に達したことを検知するリミットスイッチを有し、前記ブレーキ部は、前記リミットスイッチの検知結果によって、前記揚力発生翼のピッチ角度の調整を停止することを特徴とする請求項８記載の回転体の過回転防止装置。
【請求項１０】
前記移動体の質量をＭ［ｋｇ］、前記弾性体のバネ定数をＫ［Ｎ／ｍ］、回転中心からの移動体位置をＲ［ｍ］、前記回転体の設定回転数をΩ［ｒｐｍ］、重力加速度をｇ［ｍ／ｓ２  ］、前記回転体の回転面の鉛直軸からの傾きをθ［°］としたとき、前記移動体の中立位置からの半径方向変位Ｘ［ｍ］が
Ｘ＝Ｍ｛Ｒ（２πΩ／６０）２＋ｇ・ｃｏｓθ｝／Ｋ
以上となったときに、前記ブレーキ部が制動動作をする状態に切り替える通電切り替えが作動するように設定されていることを特徴とする請求項１〜９のいずれか１項に記載の回転体の過回転防止装置。
【請求項１１】
前記通電切替部が、通電のオンオフを行うスイッチであることを特徴とする請求項１〜１０のいずれか１項に記載の回転体の過回転防止装置。
【請求項１２】
前記通電切替部が、前記移動体が所定位置を超えた際に、前記ブレーキ部と前記ブレーキ部電源とを短絡するスイッチであることを特徴とする請求項１１に記載の回転体の過回転防止装置。
【請求項１３】
請求項１〜１２のいずれか１項に記載の回転体の過回転防止装置と、揚力発生翼を有する前記回転体と、を備えることを特徴とする風車装置。
【発明の詳細な説明】
【技術分野】
【０００１】
この発明は、流体力を利用した回転体の過回転を防止する装置に関するものである。
【背景技術】
【０００２】
風力や水力などの流体力を利用して回転体を回転させる装置では、風や水の流れが変化するため、適正な流体力が得られるように、風速や水流速度によって回転する翼のピッチ調整やヨー調整を行っている。
３枚翼を持つ揚力型ピッチ制御式回転機械における例を図８に示す。通常は、ピッチコントローラ１０の制御によって、ＤＣ／ＡＣインバータ１１を介してピッチモータ１２を動作させ、ピッチ駆動ギア１３とピッチギア１４を介してブレード１６のピッチ角を調整することにより、ブレード１６、すなわち回転体１の回転数が適切な範囲に制御している。しかし、ピッチコントローラ１０が故障した場合、回転体１の過回転を停止する手段が失われてしまう。このため、過回転を防止するための手段を設けることが必要とされる。
【０００３】
これまで、回転体の過回転を防止する技術としては、特許文献１に示すように、回転遠心力によって翼が伸びてピッチ角度を変える考案や、特許文献２に示すように、過回転を検出した際に翼内部に納めている空気力学的な抵抗体を展開するものが提案されている。
【先行技術文献】
【特許文献】
【０００４】
【特許文献１】特開２００８−１９６４６４号公報
【特許文献２】特開２０１５−１７２３４７号公報
【発明の概要】
【発明が解決しようとする課題】
【０００５】
しかし、特許文献１のような機構とした場合、動作確認にあたっては実荷重を翼に作用させる必要がある。このため、大型風車へ適用した場合には定期的な動作チェックはほぼ不可能であり、実際に過回転が発生した場合に確実に動作するという保証が困難である。
また、特許文献２の機構でも、過回転検出器が翼内部に設置されているため、定期的な動作チェックは難しい。また、不可逆的な機構であるため、動作後の復旧に大型クレーン等が必要であり、時間や費用を要する課題もある。
【０００６】
本発明は、上記事情を背景としてなされたものであり、回転体の過回転を確実に防止することができ、また、復旧作業も容易に行うことが可能になる回転体の過回転防止装置および風車装置を提供することを目的とする。
【課題を解決するための手段】
【０００７】
すなわち、本発明の回転体の過回転防止装置のうち、第１の形態は、流体力によって回転する回転体の過回転を防止する回転体の過回転防止装置であって、
前記回転体が回転した際に生じる遠心力によって移動可能な移動体と、
前記移動体の移動変位に応じた反力を前記移動体に負荷する弾性体と、
前記回転体の回転制動を行うブレーキ部と、
前記ブレーキ部に対する通電状態によって前記ブレーキ部の動作を定めるブレーキ部電源と、
前記移動体が所定位置を超えて移動した過回転の際に、前記通電状態をブレーキ部が制動動作をする状態に切り替える通電切替部と、を備えることを特徴とする。
【０００８】
他の形態の回転体の過回転防止装置は、前記形態の本発明において、前記移動体が前記所定位置を超えて移動した際に、前記ブレーキ部が制動動作をする状態を維持する維持部を備えることを特徴とする。
【０００９】
他の形態の回転体の過回転防止装置は、前記形態の本発明において、前記維持部が、前記所定位置を超えた前記移動体の位置を維持するものであることを特徴とする。
【００１０】
他の形態の回転体の過回転防止装置は、前記形態の本発明において、前記維持部が、前記移動体が前記所定位置を超えた際に動作して前記回転体の移動を規制するラチェット機構であることを特徴とする。
【００１１】
他の形態の回転体の過回転防止装置は、前記形態の本発明において、前記維持部が、前記ブレーキ部が制動動作をする状態に切り替えられた前記通電状態を維持するものであることを特徴とする。
【００１２】
他の形態の回転体の過回転防止装置は、前記形態の本発明において、前記維持部が、接点保持リレーであることを特徴とする。
【００１３】
他の形態の回転体の過回転防止装置は、前記形態の本発明において、前記ブレーキ部が、接触摩擦力を利用したものであることを特徴とする。
【００１４】
他の形態の回転体の過回転防止装置は、前記形態の本発明において、前記回転体が、ピッチ調整が可能な揚力発生翼を有しており、前記ブレーキ部が前記揚力発生翼のピッチ角度を調整する制御を行うものであることを特徴とする。
【００１５】
他の形態の回転体の過回転防止装置は、前記形態の本発明において、前記揚力発生翼のピッチ角度が一定値に達したことを検知するリミットスイッチを有し、前記ブレーキ部は、前記リミットスイッチの検知結果によって、前記揚力発生翼のピッチ角度の調整を停止することを特徴とする。
【００１６】
他の形態の回転体の過回転防止装置は、前記形態の本発明において、前記移動体の質量をＭ［ｋｇ］、前記弾性体のバネ定数をＫ［Ｎ／ｍ］、回転中心からの移動体位置をＲ［ｍ］、前記回転体の設定回転数をΩ［ｒｐｍ］、重力加速度をｇ［ｍ／ｓ２  ］、前記回転体の回転面の鉛直軸からの傾きをθ［°］としたとき、前記移動体の中立位置からの半径方向変位Ｘ［ｍ］が
Ｘ＝Ｍ｛Ｒ（２πΩ／６０）２＋ｇ・ｃｏｓθ｝／Ｋ
以上となったときに、前記ブレーキ部が制動動作をする状態に切り替える通電切り替えが作動するように設定されていることを特徴とする。
【００１７】
他の形態の回転体の過回転防止装置は、前記形態の本発明において、前記通電切替部が、通電のオンオフを行うスイッチであることを特徴とする。
【００１８】
他の形態の回転体の過回転防止装置は、前記形態の本発明において、前記通電切替部が、前記移動体が所定位置を超えた際に、前記ブレーキ部と前記ブレーキ部電源とを短絡するスイッチであることを特徴とする。
【００１９】
本発明の風車装置のうち、第１の形態は、前記各形態のいずれかに記載の回転体の過回転防止装置と、揚力発生翼を有する前記回転体と、を備えることを特徴とする。
【発明の効果】
【００２０】
本発明によれば、移動体を用いた簡易な構造によって回転体の過回転を確実に防止することができ、また、復旧作業も容易に行うことが可能になる効果がある。さらに、構造が単純で、点検も容易になる。
【図面の簡単な説明】
【００２１】
【図１】本発明の一実施形態における過回転防止装置を備える、３枚翼を持つ揚力型ピッチ制御式回転機械の概略構成を示す図である。
【図２】同じく一実施形態における、保持リレーとピッチモータとを組み合わせた過回転防止装置の構成例を示す図である。
【図３】他の実施形態における、ラチェット式過回転検出装置と電磁ブレーキとを組み合わせた過回転防止装置の構成例を示す図である。
【図４】水平軸を有する回転体の回転数と過回転防止装置における重錘変位の時系列変化を示すグラフである。
【図５】過回転防止装置を備える風車装置を示す図である。
【図６】他の実施形態における過回転検出装置例を示す図である。
【図７】回転数と重錘最大変位グラフにおけるクリアランス設定を説明する図である。
【図８】従来の揚力型ピッチ制御式回転機械を示す図である。
【発明を実施するための形態】
【００２２】
以下に、本発明の一実施形態における過回転防止装置について添付図面に基づいて説明する。
本実施形態では、移動体と弾性体とを組み合わせた過回転の検出と、過回転の検出によって通電状態を切り替える装置と、電源およびブレーキ部とを組み合わせることによって、構造が単純で、点検や復旧の容易な過回転防止装置を提供するものである。
【００２３】
図１は、３枚翼を持つ揚力型ピッチ制御式回転機械を示す図である。
回転体１は、外周側に３枚のブレード１６が等角度間隔で設置されており、ブレード１６を通した風力によって回転するものである。回転体１内には、ブレード１６の設置角度に合わせて、それぞれ内周側からピッチコントローラ１０、保持リレー２３およびＤＣ／ＡＣコンバータ１１、ピッチモータ１２が設置されている。
【００２４】
ピッチモータ１２の回転軸には、ピッチ駆動ギア１３が設けられており、ブレード１６の基端に設けられたピッチギア１４に噛み合っている。ピッチ駆動ギア１３の回転によってピッチギア１４を介してブレード１６のピッチ角度を調整することができる。なお、ピッチコントローラ１０には、電源供給を行う蓄電装置３が接続されている。これら構成により各ブレードに対するピッチ角調整部が構成されている。
【００２５】
また、各ピッチ角調整部に対応して、過回転検出装置２が設けられており、過回転検出装置２は、保持リレー２３に電気的に接続され、必要に応じて蓄電装置３に電気的に接続されている。
また、各ピッチギア１４の近傍には、ピッチギア１４の回転位置を検知するリミットスイッチ１５が配置されており、リミットスイッチ１５の検知結果は、過回転検出装置２に出力されている。リミットスイッチ１５は、ブレード１６がフェザリング位置にあることを検知する。
【００２６】
蓄電装置３は、ピッチコントローラ１０およびピッチモータ１２の電源として機能するほか、本発明のブレーキ部電源を兼用する。本発明のブレーキ部電源としては、ピッチコントローラ１０およびピッチモータ１２の電源とは別に備えるものであってもよい。
また、保持リレー２３は、本発明の維持部に相当し、一旦通電状態に切り替わると、通電状態になった原因が取り除かれても通電状態を維持する。
また、ピッチ角調整部は、通常時にピッチ角を調整するものとして機能するが、ピッチコントローラ１０を除いた構成では、過回転を防止するブレーキ部として機能する。
【００２７】
次に、過回転検出装置２およびブレーキ部の構成について図２に基づいて説明する。
過回転検出装置２は、回転体１の径方向に沿って配置された移動体収納装置２Ａを有し、移動体収納装置２Ａ内に、回転体２の径方向に摺動可能に重錘２０が収納されている。重錘２０は、本発明の移動体に相当する。なお、重錘２０には、適度な質量を有し、回転体１の回転によって十分な遠心力が得られるものを採用する。本発明としては特に材質が限定されるものではないが、この実施形態では少なくとも表面において導電性を有するものとする。
【００２８】
また、重錘２０には、径方向内側にばね２１が固定されており、ばね２１の他端は移動体収納装置２Ａに固定されている。ばね２１には重錘２０が径方向外側に移動する際には、ばねによる伸縮力が発生し、遠心側に移動する重錘２０を遠心力に抗した反力で支持する。ばね２１は、重錘２０の質量、重錘２０に加わる遠心力、重錘２０の変位量を勘案して適宜のばね定数のものが選択される。また、ばね２１には導電性を有するものが選択される。ばね２１は、本発明における弾性体に相当する。
なお、弾性体は、重錘が遠心力で移動する際に収縮しようとする弾性力によって径方向内側に反力を加えるもののほか、重錘の径方向外側に配置した弾性体によって、伸長しようとする弾性力によって重錘に対し径方向内側に反力を加えるものであってもよい。
【００２９】
また、移動体収納装置２Ａの径方向外側の内面には、接点２２が設置されている。接点２２には、重錘２０に遠心力が加わって重錘２０が径方向外側に変位した際に重錘２０が接触して通電可能な状態になる。重錘２０が、遠心力が加わっていない中立状態の重錘２０と重錘２０が接点２２に接触した際の重錘２０とのクリアランスＬが重錘２０の移動可能移動量となる。重錘２０が接点２２に接し始めた際の回転体１の回転数が、それ以上の過回転を防止したい回転数になる。この回転数を予め想定し、クリアランスＬの距離や、ばねのばね定数などを定める。
【００３０】
また、移動体収納装置２Ａと接点２２には保持リレー２３を介して電気的に接続されており、蓄電装置３には必要に応じて電気的に接続されている。
上記した過回転検出装置２、蓄電装置３、保持リレー２３、ＤＣ／ＡＣインバータ１１、ピッチモータ１２、ピッチ駆動ギア１３、ピッチギア１４、リミットスイッチ１５は、この実施形態では過回転防止装置を構成している。なお、本発明としては、保持リレー２３やリミットスイッチ１５を有していない構成によっても過回転を防止することはできる。
また、この実施形態では、重錘２０が径方向に移動するものとして説明しているが、本発明としては、移動体が径方向に移動するものに限定されず、遠心力によって移動体が移動できるものであればよい。
【００３１】
次に、過回転防止装置の動作について説明する。
まず、通常時のピッチ調整について説明する。
風速は適宜の風速計などで検知し、ピッチコントローラ１０に送信される。ピッチコントローラ１０では、風速に応じて必要なピッチ角を算出し、ピッチ角制御信号を生成する。制御信号は、ＤＣ出力によってＤＣ／ＡＣインバータ１１に出力される。ＤＣ／ＡＣインバータから出力される３相ＡＣ信号によってピッチモータ１２が動作し、ピッチ駆動ギア１３、ピッチギア１４を介してブレード１６が所望のピッチ角に調整される。
【００３２】
次に、過回転防止時の動作について説明する。
回転体１における回転数の上昇とともに、重錘２０に遠心力が加わり、バネ２１を伸長させていく。やがて、過回転状態に達すると、重錘２０と接点２２とが接触し、過回転検出装置２の両端が導通して通電状態が切り替わる。重錘２０と接点２２は、スイッチとして機能する。
【００３３】
過回転検出装置２の両端は保持リレー２３に接続されており、導通を検知すると保持リレー２３のメイン回路が接続される。メイン回路の一方は蓄電装置３、もう一方はＤＣ／ＡＣインバータ１１が接続されており、直流電力ＤＣが蓄電装置３からＤＣ／ＡＣインバータ１１に流れる。ＤＣ／ＡＣインバータ１１によって、直流は３相交流ＡＣに変換され、ピッチモータ１２を駆動させ、ピッチ駆動ギア１３、ピッチギア１４を介してブレード１６のピッチ角を回転させる。上記動作において、重錘２０、接点２２、保持リレー２３は通電切替部として機能する。なお、保持リレー２３では、重錘２０と接点２２の接触が解除された場合でも、一旦導通を検知すると、その状態が維持される。したがって、保持リレー２３は本発明の維持部に相当する。
【００３４】
通常、流体の流れに対してブレード翼断面が平行になるにつれて回転トルクは徐々に失われ、回転数は低下する。ただし、ピッチ角を回し過ぎると、再び回転トルクを得てしまうため、回転トルクがほぼゼロとなるピッチ角（フェザリング）に至ると、リミットスイッチ１５を作動させ、保持リレー２３をキャンセルして通電状態を切り替え、ピッチモータ１２を停止するような仕組みとしている。
【００３５】
なお、上記実施形態では、保持リレー２３によって、過回転の際の通電状態の維持を図るものとしたが、重錘の変位状態を維持するようにしてもよい。この実施形態では、ラチェットを利用した構造としており、重錘が一定変位に達すると、ラチェットが重錘の変位を保持し、通電を維持する。
以下に、具体的に説明する。なお、前記実施形態と同様の構成については説明を省略または簡略化する。
【００３６】
この実施形態では、図３に示すように、過回転検出装置２Ｂで、ラチェット機構２４Ａ、２４Ｂを有している。ラチェット機構２４Ａ、２４Ｂは、重錘２０の側面に沿った当接片が回転可能に軸止されており、当接片の上方に、重錘２０の下面を支持する支持面を有している。
ラチェット機構２４Ａ、２４Ｂは、重錘２０が通常の変位領域にある場合は、重錘２０の側面に支持片が当接し、支持面は外側に向いて重錘２０との接触はなされないため、図３のＡ図に示すように、回転体１の回転に応じて重錘２０が径方向に沿って変位することが可能になっている。
【００３７】
一方、回転数が増すと、回転体１における回転数の上昇とともに、重錘２０に遠心力が加わり、バネ２１をさらに伸長させていく。やがて、過回転状態に達すると、重錘２０と接点２２とが接触し、過回転検出装置２の両端が導通して通電状態が図３のＢ図に示すように切り替わる。
この際に、重錘２０の下面はラチェット機構２４Ａ、２４Ｂの支持片を超えて、支持面で支持され、そのまま接点２２と重錘２０との接触状態が維持される。
【００３８】
この通電状態では、蓄電装置３に対し、電磁ブレーキ３０は、通電がされて動作状態になっている。過回転を検知して電磁ブレーキ３０に通電すると、回転体１と図示しない固定部との摺動部付近に用いられた電磁ブレーキ３０が作動し、回転体１の回転数を低下させる。電磁ブレーキ３０は、本発明のブレーキ部に相当する。
【００３９】
なお、回転体の回転軸は、重力方向に対して垂直から水平まで種々考えられる。一方、過回転検出装置に内蔵される重錘は、遠心力だけでなく、重力の影響も受ける。例えば、回転軸が垂直であった場合、重錘変位は回転数の２乗に比例し、回転角度には依存しない。一方、回転軸が水平であった場合、回転角度によって重錘に作用する重力ベクトルが変化するため、図４に示すように、回転数の２乗と正弦波的に変化する重力とが重畳した変位となる。
【００４０】
図５は、過回転防止装置が備えられている風車装置１００を示している。風車装置１００は、支柱１０１上にナセル１０２が設置され、ナセル１０２の先端側に回転軸部１０３が設けられている。この回転軸部１０３内に、回転体１や過回転検出装置２などが設けられており、回転軸部１０３には、ブレード１６が取り付けられている。
【００４１】
ここで、図５に示すように、回転面と鉛直軸との成す角度をθ［°］、鉛直上方向を０°とした過回転検出装置の角度をφ［°］とした場合、重錘の中立位置からの半径方向変位ｘ［ｍ］は、
ｘ＝Ｍ｛Ｒ（２πω／６０）２−ｇ・ｃｏｓθ・ｃｏｓφ｝／Ｋ    （１）
と表される。ここで、Ｍ：重錘の質量［ｋｇ］、Ｋ：弾性体のバネ定数［Ｎ／ｍ］、Ｒ：回転中心からの重錘位置を［ｍ］、ω：回転数［ｒｐｍ］、ｇ：重力加速度［ｍ／ｓ２］である。回転角φ＝１８０°のとき重錘変位は最大値ｘｍａｘを示す。
ｘｍａｘ＝Ｍ｛Ｒ（２πω／６０）２＋ｇ・ｃｏｓθ｝／Ｋ    （２）
ブレーキ部が作動すべき回転数をΩ［ｒｐｍ］とし、そのときの変位をＸ［ｍ］とすると、
Ｘ＝Ｍ｛Ｒ（２πΩ／６０）２＋ｇ・ｃｏｓθ｝／Ｋ    （３）
となる。したがって、中立位置における初期クリアランスＬをＸ［ｍ］に設定しておけば、過回転が発生した場合、少なくとも回転体が一回転するまでに重錘と接点が接触状態となり、ブレーキ部が作動することとなる。
【００４２】
なお、過回転検出装置に用いる重錘および弾性体は、回転数が一定値を超えたときに限って端子間を通電するような構造とすることが望ましい。例えば、図２に示すように、重錘と弾性体をどちらも導電体で構成することで、重錘と接点が接触した時点で端子間が通電するような仕組みや、図６に示すように、重錘の上面を導電体で構成し、重錘が上死点に達した段階で接点を通電するような仕組みが考えられる。
【００４３】
ずなわち、図６に示す過回転検出装置では、Ａ図に示すように、移動体収納装置２Ａの径方向外側の内面側に接点２２Ａ、２２Ｂを設け、重錘２０の上面には導電板２０Ａを設ける。過回転状態になると、重錘２０は、ばね２１で引っ張られつつ径方向外側に変位し、上死点で導電板２０Ａが接点２２Ａ、２２Ｂに接触する。この結果、通電切り替えが行われて接点２２Ａ、２２Ｂ同士が導電板２０Ａを介して通電した状態になる。
【００４４】
また、過回転防止装置は、ピッチコントローラの故障時には確実に作動する一方で、ピッチコントローラ正常時の動作は避けたい。そこで、重錘の中立位置と接点とのクリアランスは、ピッチコントローラで規定している非常停止回転数のときの最大変位よりも大きい値に設定するべきである。
図７に例を示すが、非常停止回転数を２４ｒｐｍとした場合の最大変位は約１７ｍｍである。これに対し、クリアランスを２０ｍｍに設定することで、回転数が約３０ｒｐｍに達した時点で本装置が作動するようにできる。
【００４５】
過回転検出装置の通電を検知したら、リレーによって電源とブレーキ装置を短絡させて作動させることができる。特に水平軸回転機では重力が周期的に作用することから、通電は短時間となることが想定されるため、図２の保持リレーや図３のラチェット構造などで、ブレーキ装置の稼動を維持することが望ましい。ただし、本発明としては、維持部を有していないものも発明の範囲内である。
【００４６】
翼のピッチ角度回転によるブレーキ装置に用いるモータは、交流モータ、直流モータどちらでもよい。ただし、回り過ぎを防止するためにリミットスイッチを設け、適切なピッチ角度に達した時点で保持リレーをリセットすることが望ましい。一方、電磁ブレーキは、手動リセットまで作動を維持する仕組みとしても支障はない。
【００４７】
電源としては系統交流電力の利用よりも、万が一の電源喪失時も対応できるよう、蓄電池電力を利用することが望ましい。なお、直流電力と交流モータとを組み合わせる場合は、ＤＣ／ＡＣインバータで変換する必要がある。
【００４８】
本実施形態によれば、従来のものとは異なり、回転検出装置が小型で単純な構造であるため、動作確認が容易であるとともに、復帰操作も簡便である特徴を持っている。さらに、定期点検等では、重錘が接点と接触するときの荷重をバネばかり等で計測するだけで、規定値かどうか確認可能である。もし、規定値から外れていた場合であっても、接点位置を微調整することで、簡便に適正範囲内とすることが可能である。
【００４９】
以上、本発明について上記実施形態に基づいて説明を行ったが、本発明は、上記説明の内容に限定されるものではなく、本発明の範囲を逸脱しない限りは、上記実施形態に対し適宜の変更が可能である。
【符号の説明】
【００５０】
１    回転体
２    過回転検出装置
２Ａ  移動体収納装置
２Ｂ  過回転検出装置
３    蓄電装置
１１    ＤＣ／ＡＣインバータ
１２    ピッチモータ
１３    ピッチ駆動ギア
１４    ピッチギア
１５    リミットスイッチ
１６    ブレード
２０    重錘
２０Ａ  導電板
２２    接点
２２Ａ  接点
２２Ｂ  接点
２３    保持リレー
２４Ａ  ラチェット機構
２４Ｂ  ラチェット機構
３０    電磁ブレーキ
１００  風車装置
１０２  ナセル
１０３  回転軸部
【図１】
2017210912.tif 000003
【図２】
2017210912.tif 000004
【図３】
2017210912.tif 000005
【図４】
2017210912.tif 000006
【図５】
2017210912.tif 000007
【図６】
2017210912.tif 000008
【図７】
2017210912.tif 000009
【図８】
2017210912.tif 000010